(57)【要約】  【課題】  宅内テレビで携帯電話機の現在位置に対応する地図情報画像を見ることはできなかった。  【解決手段】  携帯電話機３と、宅内テレビ１２と、宅内テレビに映像情報を提供するＩＰ−ＳＴＢ１３とを有し、携帯電話機は、ＧＰＳ衛星２から現在位置に対応したＧＰＳ位置情報を取得する機能を有し、ＩＰ−ＳＴＢは、携帯電話機からのＵＲＬアクセスを検出すると、携帯電話機の現在位置に対応するＧＰＳ位置情報を抽出するウェブサーバ処理部２５と、この抽出したＧＰＳ位置情報に対応する地図情報を地図ＤＶＤから検索し、この検索した地図情報に基づき地図情報画像を生成する画像処理部２８と、地図情報画像を、宅内テレビインタフェース２４を通じて、宅内テレビに表示させるシステム制御部３２とを有している。【選択図】  図２
2005295030.tif 000002
【特許請求の範囲】
【請求項１】
無線通信機能を備えた携帯端末機器と、映像情報を表示出力する映像表示装置と、前記映像表示装置と接続し、前記映像情報を前記映像表示装置に伝送する接続装置とを有し、
前記携帯端末機器は、
ＧＰＳから現在位置に対応したＧＰＳ位置情報を取得するＧＰＳ位置情報取得手段を有し、
前記接続装置は、
地図情報を記憶管理する地図記憶手段と、
前記携帯端末機器からの通信アクセスを検出すると、前記携帯端末機器から同携帯端末機器の現在位置に対応したＧＰＳ位置情報を取得する現在位置情報取得手段と、
前記現在位置情報取得手段にて取得したＧＰＳ位置情報に対応する地図情報を前記地図記憶手段から検索する地図検索手段と、
前記地図検索手段にて検索した地図情報に関わる地図情報画像を前記映像表示装置に表示出力させる制御手段とを有することを特徴とする地図情報表示システム。
【請求項２】
前記地図検索手段にて検索した地図情報を前記携帯端末機器に提供することを特徴とする請求項１記載の地図情報表示システム。
【請求項３】
前記現在位置情報取得手段は、
前記携帯端末機器からのウェブアクセス方式で前記ＧＰＳ位置情報を取得することを特徴とする請求項１又は２記載の地図情報表示システム。
【請求項４】
前記現在位置情報取得手段は、
前記携帯端末機器からのメール添付方式で前記ＧＰＳ位置情報を取得することを特徴とする請求項１、２又は３記載の地図情報表示システム。
【請求項５】
前記接続装置は、
配信された映像情報を受信し、この受信した映像情報を前記映像表示装置に提供するセットトップボックスであることを特徴とする請求項１，２，３又は４記載の地図情報表示システム。
【請求項６】
前記接続装置は、
記録媒体を再生することで前記映像情報を生成し、この生成した前記映像情報を前記映像表示装置に提供する記録媒体再生装置であることを特徴とする請求項１，２，３又は４記載の地図情報表示システム。
【請求項７】
携帯端末機器と、映像情報を表示出力する映像表示装置と、前記映像表示装置と接続し、前記映像情報を前記映像表示装置に伝送する接続装置とを有し、
前記携帯端末機器は、
ＧＰＳから現在位置に対応したＧＰＳ位置情報を取得するＧＰＳ位置情報取得手段と、
被写体を撮影することで前記被写体の撮影データを生成する撮像手段と、
前記撮像手段にて生成した前記撮影データ及び、この撮影時の前記ＧＰＳ位置情報を対応付けて構成した撮影管理データを記憶するデータ記憶手段とを有し、
前記接続装置は、
地図情報を記憶管理する地図記憶手段と、
前記携帯端末機器の前記撮影管理データを抽出すると、この撮影管理データから前記撮影データ及び前記ＧＰＳ位置情報を分離抽出するデータ分離手段と、
前記データ分離手段にて分離抽出された前記ＧＰＳ位置情報に対応する地図情報を前記地図記憶手段から検索する地図検索手段と、
前記地図検索手段にて検索された地図情報に関わる地図情報画像及び前記撮影データに関わる撮影画像を前記映像表示装置に表示出力させる制御手段とを有することを特徴とする地図情報表示システム。
【請求項８】
前記撮影管理データを記憶する前記データ記憶手段は、前記携帯端末機器に対して着脱可能な記憶媒体であって、
前記接続装置は、
前記記憶媒体が装着されると、前記記憶媒体に記憶した前記撮影管理データを抽出するデータ抽出手段を有することを特徴とする請求項７記載の地図情報表示システム。
【請求項９】
前記接続装置は、
配信された映像情報を受信し、この受信した映像情報を前記映像表示装置に提供するセットトップボックスであることを特徴とする請求項７又は８記載の地図情報表示システム。
【請求項１０】
前記接続装置は、
記録媒体を再生することで前記映像情報を生成し、この生成した前記映像情報を前記映像表示装置に提供する記録媒体再生装置であることを特徴とする請求項７又は８記載の地図情報表示システム。
【発明の詳細な説明】
【技術分野】
【０００１】
本発明は、汎地球測位システム（以下、単にＧＰＳと称する）にて現在位置に対応するＧＰＳ位置情報を取得する機能を備えた、例えば携帯電話機やデジタルカメラ等の携帯端末機器と、映像情報を表示出力する家庭内のテレビ等の映像表示装置と、例えばケーブルテレビ局から配信された映像情報を映像表示装置に伝送するセットトップボックス(以下、単にＳＴＢと称する)等の接続装置とを有し、携帯端末機器の現在位置に対応した地図情報画像を映像表示装置に表示することができる地図情報表示システムに関する。
【背景技術】
【０００２】
従来、ＧＰＳを使用した携帯電話機に位置情報を提供する地図情報表示システムとしては、ＧＰＳ衛星から現在位置に対応するＧＰＳ位置情報を取得する機能を備えた携帯電話機と、この携帯電話機からの通信に応じて同携帯電話機からのＧＰＳ位置情報を取得し、インターネット経由でＧＰＳ位置情報に対応する地図情報を携帯電話機に提供するサービスプロバイダ等のマップサービスシステム本体とを有したシステムが知られている（例えば特許文献１参照）。
【０００３】
このような地図情報表示システムによれば、サービスプロバイダ等のマップサービスシステム本体が携帯電話機からの位置情報要求を検出すると、同携帯電話機から現在位置に対応するＧＰＳ位置情報を取得し、このＧＰＳ位置情報に対応した地図情報を検索し、この地図情報をインターネット経由で携帯電話機に提供するようにしたので、携帯電話機のユーザは、現在位置に対応する地図情報を簡単に取得することができる。
【特許文献１】特開２００２−３１５０４４号公報(図１及び要約書参照)
【発明の開示】
【発明が解決しようとする課題】
【０００４】
しかしながら、上記従来の特許文献１によれば、携帯電話機のユーザに対して地図情報を包括的に提供するために、地図情報を提供するマップサービスシステム本体はサービスプロバイダ業者等の特定業者であることから、同システムによる地図情報の提供サービスを受けるためには、サービスプロバイダに加入してサービス料金を支払わなければならない。
【０００５】
また、上記従来の特許文献１によれば、携帯電話機のユーザに現在位置に関わる地図情報を提供するようにしているが、例えば家庭内にあるテレビを使用して同携帯電話機のユーザの現在位置を地図表示するシステムが未だ開発されていないのが実情である。
【０００６】
本発明は上記点に鑑みてなされたものであり、その目的とするところは、サービスプロバイダ等を利用しなくても、家庭内のテレビ等の映像表示装置で携帯電話機等の携帯端末機器ユーザの現在地に関わる地図情報画像を表示することができる地図情報表示システムを提供することにある。
【課題を解決するための手段】
【０００７】
上記目的を達成するために本発明の地図情報表示システムは、無線通信機能を備えた携帯端末機器と、映像情報を表示出力する映像表示装置と、映像表示装置と接続し、映像情報を映像表示装置に伝送する接続装置とを有し、携帯端末機器は、ＧＰＳから現在位置に対応したＧＰＳ位置情報を取得するＧＰＳ位置情報取得手段を有し、接続装置は、地図情報を記憶管理する地図記憶手段と、携帯端末機器からの通信アクセスを検出すると、携帯端末機器から同携帯端末機器の現在位置に対応したＧＰＳ位置情報を取得する現在位置情報取得手段と、現在位置情報取得手段にて取得したＧＰＳ位置情報に対応する地図情報を地図記憶手段から検索する地図検索手段と、地図検索手段にて検索した地図情報に関わる地図情報画像を映像表示装置に表示出力させる制御手段とを有するようにした。
【０００８】
本発明の地図情報表示システムは、地図検索手段にて検索した地図情報を携帯端末機器に提供するようにした。
【０００９】
本発明の地図情報表示システムは、現在位置情報取得手段が、携帯端末機器からのウェブアクセス方式でＧＰＳ位置情報を取得するようにした。
【００１０】
本発明の地図情報表示システムは、現在位置情報取得手段が、携帯端末機器からのメール添付方式でＧＰＳ位置情報を取得するようにした。
【００１１】
本発明の地図情報表示システムは、接続装置が、配信された映像情報を受信し、この受信した映像情報を映像表示装置に提供するセットトップボックスであるようにした。
【００１２】
本発明の地図情報表示システムは、接続装置が、記録媒体を再生することで映像情報を生成し、この生成した映像情報を映像表示装置に提供する記録媒体再生装置であるようにした。
【００１３】
本発明の地図情報表示システムは、携帯端末機器と、映像情報を表示出力する映像表示装置と、映像表示装置と接続し、映像情報を映像表示装置に伝送する接続装置とを有し、携帯端末機器は、ＧＰＳから現在位置に対応したＧＰＳ位置情報を取得するＧＰＳ位置情報取得手段と、被写体を撮影することで被写体の撮影データを生成する撮像手段と、撮像手段にて生成した撮影データ及び、この撮影時のＧＰＳ位置情報を対応付けて構成した撮影管理データを記憶するデータ記憶手段とを有し、接続装置は、地図情報を記憶管理する地図記憶手段と、携帯端末機器の撮影管理データを抽出すると、この撮影管理データから撮影データ及びＧＰＳ位置情報を分離抽出するデータ分離手段と、データ分離手段にて分離抽出されたＧＰＳ位置情報に対応する地図情報を地図記憶手段から検索する地図検索手段と、地図検索手段にて検索された地図情報に関わる地図情報画像及び撮影データに関わる撮影画像を映像表示装置に表示出力させる制御手段とを有するようにした。
【００１４】
本発明の地図情報表示システムは、撮影管理データを記憶するデータ記憶手段が、携帯端末機器に対して着脱可能な記憶媒体であって、接続装置は、記憶媒体が装着されると、記憶媒体に記憶した撮影管理データを抽出するデータ抽出手段を有するようにした。
【００１５】
本発明の地図情報表示システムは、接続装置が、配信された映像情報を受信し、この受信した映像情報を映像表示装置に提供するセットトップボックスであるようにした。
【００１６】
本発明の地図情報表示システムは、接続装置が、記録媒体を再生することで映像情報を生成し、この生成した映像情報を映像表示装置に提供する記録媒体再生装置であるようにした。
【発明の効果】
【００１７】
上記のように構成された本発明の地図情報表示システムによれば、テレビ等の映像表示装置に表示する映像情報を提供する接続装置が、携帯端末機器からの通信アクセスを検出して携帯端末機器の現在位置に対応したＧＰＳ位置情報を取得すると、このＧＰＳ位置情報に対応する地図情報を検索し、この地図情報に関わる地図情報画像を映像表示装置に表示出力させるようにしたので、例えば家庭内にある接続装置に地図情報を提供する機能を持たせることで、接続装置のユーザは、サービスプロバイダを利用しなくても、家庭内のテレビ等の映像表示装置で携帯端末機器ユーザの現在位置に関わる地図情報画像を見ることができる。
【００１８】
本発明の地図情報表示システムによれば、携帯端末機器の現在位置に相当するＧＰＳ位置情報に対応した地図情報を検索し、この地図情報に関わる地図情報画像を映像表示装置に表示出力するばかりでなく、携帯端末機器のユーザにも現在位置の地図情報を提供するようにした、すなわち、携帯端末機器の表示画面上に現在位置の地図情報画像を表示するようにしたので、サービスプロバイダを利用しなくても、携帯端末機器のユーザは、現在位置に関わる地図情報画像を見ることができる。
【００１９】
本発明の地図情報表示システムによれば、携帯端末機器からのＧＰＳ位置情報をウェブアクセス方式で取得するようにしたので、サービスプロバイダを利用しなくても、例えば家庭内のテレビ等の映像表示装置に携帯端末機器ユーザの現在位置の地図情報画像を表示することができる。
【００２０】
本発明の地図情報表示システムによれば、携帯端末機器からのＧＰＳ位置情報をメール添付方式で取得するようにしたので、携帯端末機器にウェブ機能がなくても、メール送受信機能さえあれば、サービスプロバイダを利用することなく、例えば家庭内のテレビ等の映像表示装置に携帯端末機器ユーザの現在位置の地図情報画像を表示することができる。
【００２１】
本発明の地図情報表示システムによれば、接続装置を、例えばケーブルテレビ局から配信される映像情報を受信し、この映像情報をテレビ等の映像表示装置に伝送するセットトップボックスにした、つまり、通常、セットトップボックスは家庭内のテレビ等の映像表示装置と共に配置されて使用されることが多いため、同セットトップボックスに同地図情報提供機能を持たせることで、新たな地図情報提供機能を専用とした機器を設ける必要もなくなる。また、セットトップボックスは、映像表示装置をテレビとした場合、地図情報画像をテレビに表示するためのＮＴＳＣやＲＧＢ等の信号変換機能が備えられているため、本システムには最適である。
【００２２】
本発明の地図情報表示システムによれば、接続装置を、記録媒体を再生することで映像情報を映像表示装置に提供する、例えばビデオ再生装置やＤＶＤ再生装置等の記録媒体再生装置にした、つまり、通常、記録媒体再生装置は家庭内のテレビ等の映像表示装置と共に配置されて使用されることが多いため、同記録媒体再生装置に同地図情報提供機能を持たせることで、新たな地図情報提供機能を専用した機器を設ける必要もなくなる。また、ビデオ再生装置は、映像表示装置をテレビとした場合、地図情報画像をテレビに表示するためのＮＴＳＣやＲＧＢ等の信号変換機能が備えられているため、本システムには最適である。
【００２３】
本発明の地図情報表示システムによれば、携帯端末機器にて撮影データ及びＧＰＳ位置情報を対応付けて構成した撮影管理データを記憶しておき、接続装置にて携帯端末機器からの撮影管理データを抽出すると、この撮影管理データから撮影データ及びＧＰＳ位置情報を分離抽出し、ＧＰＳ位置情報に対応した地図情報を検索し、この地図情報に基づく地図情報画像及び撮影データに基づく撮影画像を併せて映像表示装置に表示するようにしたので、接続装置のユーザは、撮影画像だけでなく、撮影場所の地図情報画像も映像表示装置の表示画面上に同時に表示されるため、撮影画像を見ながら、同撮影場所の特定が容易となる。
【００２４】
本発明の地図情報表示システムによれば、撮影管理データを記憶するデータ記憶手段を携帯端末機器に対して着脱可能な記憶媒体とし、接続装置は、記憶媒体が装着されると、この記憶媒体から撮影管理データを抽出するようにしたので、記憶媒体、例えばＳＤカード等に撮影管理データを記憶することで、撮影管理データの持ち運びが容易となる。
【００２５】
本発明の地図情報表示システムによれば、接続装置を、例えばケーブルテレビ局から配信される映像情報を受信し、この映像情報をテレビ等の映像表示装置に伝送するセットトップボックスにした、つまり、通常、セットトップボックスは家庭内のテレビ等の映像表示装置と共に配置されて使用されることが多いことから、同セットトップボックスに地図情報画像を提供する機能を持たせることで、新たな地図情報提供機能を専用とした機器を設ける必要もなくなる。また、セットトップボックスは、映像表示装置をテレビとした場合、地図情報画像や撮影画像をテレビに表示するためのＮＴＳＣやＲＧＢ等の信号変換機能が備えられているため、本システムには最適である。
【００２６】
本発明の地図情報表示システムによれば、記録媒体を再生することで映像情報を映像表示装置に提供する、例えばビデオ再生装置やＤＶＤ再生装置等の記録媒体再生装置にした、つまり、通常、記録媒体再生装置は家庭内のテレビ等の映像表示装置と共に配置されて使用されることが多いことから、同記録媒体再生装置に同地図情報提供機能を持たせることで、新たな地図情報提供機能を専用した機器を設ける必要もなくなる。また、ビデオ再生装置は、映像表示装置をテレビとした場合、地図情報画像や撮影画像をテレビに表示するためのＮＴＳＣやＲＧＢ等の信号変換機能が備えられているため、本システムには最適である。
【発明を実施するための最良の形態】
【００２７】
以下、図面に基づいて本発明の地図情報表示システムに関わる実施の形態を示す宅内地図情報表示システムについて説明する。
【００２８】
（実施の形態１）
図１は第１の実施の形態を示す宅内地図情報表示システム全体の概略構成を示すシステム説明図である。
【００２９】
図１に示す宅内地図情報表示システム１は、ＧＰＳ衛星２から自己の現在位置に対応するＧＰＳ位置情報を取得する機能を備えた携帯電話機３と、一般家庭内に配置された宅内システム４とを有している。
【００３０】
宅内システム４は、インターネット５と接続するための通信モデム１１と、テレビ番組等の映像情報を表示出力する、例えばプラズマディスプレイ機能や液晶ディスプレイ機能等の宅内テレビ１２と、例えばケーブルテレビ局６から配信される映像情報を宅内テレビ１２に伝送すると共に、通信モデム１１を通じてインターネット５と接続するインターネット対応セットトップボックス（以下、単にＩＰ−ＳＴＢと称する）１３と、これら通信モデム１１及びＩＰ−ＳＴＢ１３間を接続するＬＡＮ１４とを有している。尚、ＩＰ−ＳＴＢ１３は、遠隔操作を行うためのリモコン１５を備えている。
【００３１】
携帯電話機３は、インターネット５経由でＩＰ−ＳＴＢ１３と通信接続することができるものである。
【００３２】
図２はＩＰ−ＳＴＢ１３内部の概略構成を示すブロック図である。
【００３３】
図２に示すＩＰ−ＳＴＢ１３は、ケーブルテレビ局６との通信インタフェースを司るケーブルテレビ局通信インタフェース２１と、通信モデム１１との通信インタフェースを司るインターネット通信インタフェース２２と、地図情報を記録した地図ＤＶＤを駆動するＤＶＤ駆動部２３と、宅内テレビ１２とのインタフェースを司る宅内テレビインタフェース２４と、通信モデム１１を通じてインターネット５上でウェブサーバ機能を実行するウェブサーバ処理部２５と、電子メールを送受信する電子メール通信部２６と、ＤＶＤ駆動部２３を制御するＤＶＤ制御部２７と、様々な情報に基づき情報画像を生成する画像処理部２８と、この画像処理部２８にて生成した情報画像等を記憶する画像処理メモリ２９と、画像処理メモリ２９を制御するメモリ制御部３０と、リモコン１５の操作を監視するリモコン操作監視部３１と、ＩＰ−ＳＴＢ１３全体を制御するシステム制御部３２と、これら各部位を接続する制御バス３３とを有している。尚、地図ＤＶＤは、例えば国土地理院等の地図情報を記録した記録媒体である。
【００３４】
ケーブルテレビ局通信インタフェース２１は、ケーブルテレビ局６から配信されるテレビ映像情報を受信するテレビ映像受信機能を有している。
【００３５】
宅内テレビインタフェース２４は、ケーブルテレビ局通信インタフェース２１を通じて受信したケーブルテレビ局６からのテレビ映像情報を宅内テレビ１２に表示するものである。
【００３６】
ウェブサーバ処理部２５は、インターネット通信インタフェース２２を通じて、インターネット５経由で携帯電話機３からのＵＲＬアクセスを検出すると、ウェブ画像を携帯電話機３に提供するものである。
【００３７】
携帯電話機３は、ＧＰＳ衛星２から携帯電話機ユーザの現在位置に対応するＧＰＳ位置情報を取得するものである。尚、ＧＰＳ位置情報は、ＧＰＳ衛星２から発射される電波情報から位置測定用電波到達時間で受信地点経度、緯度、高度を計測して得られるものである。
【００３８】
携帯電話機３のユーザは、ＩＰ−ＳＴＢ１３のＵＲＬに同携帯電話機３の現在位置に対応したＧＰＳ位置情報を付加し、このＧＰＳ位置情報を付加したＵＲＬで、ＩＰ−ＳＴＢ１３にＵＲＬアクセスするものである。
【００３９】
ＩＰ−ＳＴＢ１３のシステム制御部３２は、ウェブサーバ処理部２５を通じて、携帯電話機３からのＵＲＬアクセスを検出すると、同ＵＲＬに付加したＧＰＳ位置情報を抽出すると共に、ＤＶＤ駆動部２３を通じて、このＧＰＳ位置情報に対応した地図情報を地図ＤＶＤから検索するものである。尚、ＧＰＳ位置情報に対応した地図情報とは、ＧＰＳ位置情報に対応した地点を中心とした周辺地図情報に相当するものである。
【００４０】
画像処理部２８は、検索された地図情報に基づいて地図情報画像を生成し、この地図情報画像を画像処理メモリ２９のＧＰＳ位置情報領域２９Ａに一時記憶するものである。尚、画像処理メモリ２９は、画像処理部２８の作業領域としても利用されるものである。
【００４１】
システム制御部３２は、画像処理メモリ２９に一時記憶中の地図情報画像を、宅内テレビインタフェース２４を通じて、宅内テレビ１２に表示させるものである。尚、宅内テレビインタフェース２４では、画像処理メモリ２９に一時記憶中の地図情報画像をＮＴＳＣ信号又はＲＧＢ信号に変換し、この変換した地図情報画像を宅内テレビ１２に伝送するものである。
【００４２】
さらに、システム制御部３２は、リモコン操作監視部３１を通じて、地図情報画像を携帯電話機３に提供するリモコン操作を検出すると、ウェブサーバ処理部２５を通じて、インターネット５経由で画像処理メモリ２９に一時記憶中の地図情報画像を同携帯電話機３にウェブ上で提供するものである。尚、携帯電話機３にウェブ上で地図情報画像を提供する場合、画像処理部２８は、画像処理メモリ２９に一時記憶中の地図情報画像を携帯電話機３に表示すべくＧＩＦ若しくはＪＰＥＧ形式に変換し、この地図情報画像をウェブサーバ処理部２５経由で携帯電話機３に提供するものである。
【００４３】
尚、請求項記載の地図情報表示システムは宅内地図情報表示システム１、携帯端末機器は携帯電話機３、映像表示装置は宅内テレビ１２、接続装置はＩＰ−ＳＴＢ１３、ＧＰＳ位置情報取得手段は携帯電話機３のＧＰＳ位置情報取得機能、地図記憶手段は地図ＤＶＤ及びＤＶＤ駆動部２３、現在位置情報取得手段はウェブサーバ処理部２５及び電子メール通信部２６、地図検索手段及び制御手段はシステム制御部３２に相当するものである。
【００４４】
次に第１の実施の形態を示す宅内地図情報表示システム１の動作について説明する。図３は第１実施の形態に関わるウェブ方式宅内地図情報提供処理に関わるシステム１全体の処理動作を端的に示すフロー図、図４は同ウェブ方式宅内地図情報提供処理の処理動作を端的に示す動作説明図である。
【００４５】
図３に示すウェブ方式宅内地図情報提供処理とは、ＩＰ−ＳＴＢ１３にて携帯電話機３からのＵＲＬアクセスを検出すると、携帯電話機３の現在位置に対応した地図情報画像を宅内テレビ１２に表示すると共に、所定のリモコン操作を検出すると、同地図情報画像をウェブ方式で携帯電話機３に提供する処理である。
【００４６】
図３において携帯電話機３は、ＧＰＳ衛星２から現在位置に対応するＧＰＳ位置情報を取得する（ステップＳ１１）。携帯電話機３は、ＧＰＳ位置情報を取得すると、図４に示すように携帯電話機３の表示画面上のＵＲＬ入力画面３００ＡでＩＰ−ＳＴＢ１３のＵＲＬにＧＰＳ位置情報を付加し（ステップＳ１２）、そのＵＲＬ入力画面３００Ａ内のアクセスボタン３０１Ａをボタン操作すると、インターネット５経由でＩＰ−ＳＴＢ１３へＵＲＬアクセスする。
【００４７】
ＩＰ−ＳＴＢ１３のウェブサーバ処理部２５は、携帯電話機３からのＵＲＬアクセスを検出すると（ステップＳ１３）、このＵＲＬに付加されたＧＰＳ位置情報を抽出する（ステップＳ１４）。
【００４８】
ＩＰ−ＳＴＢ１３のシステム制御部３２は、ＤＶＤ駆動部２３を通じて地図ＤＶＤからＧＰＳ位置情報に対応した地図情報を検索する（ステップＳ１５）。
【００４９】
画像処理部２８は、ＧＰＳ位置情報に対応した地図情報を検索すると、この検索した地図情報に基づき地図情報画像を生成し、この地図情報画像を画像処理メモリ２９のＧＰＳ位置情報領域２９Ａに一時記憶する（ステップＳ１６）。
【００５０】
システム制御部３２は、宅内テレビインタフェース２４を通じて、画像処理メモリ２９に一時記憶中の地図情報画像を宅内テレビ１２に表示する（ステップＳ１７）。この際、宅内テレビインタフェース２４は、画像処理メモリ２９に一時記憶中の地図情報画像をＮＴＳＣ信号又はＲＧＢ信号に変換し、この変換した地図情報画像を宅内テレビ１２に伝送するものである。尚、ＩＰ−ＳＴＢ１３のユーザは、図４に示すように、宅内テレビ１２に表示中の地図情報画像１００Ａで携帯電話機３の現在位置を認識することができる。また、地図情報画像１００Ａには、携帯電話機３に地図情報画像を提供するか否かを指定する指定画面１００Ｂを有し、リモコン１５のリモコン操作で指定するものである。
【００５１】
システム制御部３２は、リモコン操作監視部３１を通じてリモコン１５の指定画面１００Ｂによる地図情報画像提供操作を検出したか否かを判定する（ステップＳ１８）。システム制御部は３２、地図情報画像提供操作、すなわち指定画面１００Ｂ上の“する”の選択操作を検出すると、メモリ制御部３０を通じて画像処理メモリ２９に一時記憶中の地図情報画像を読み出し、ウェブサーバ処理部２５を通じて、図４に示すように同地図情報画像３００Ｂをウェブ上で携帯電話機３に提供する（ステップＳ１９）。この際、画像処理部２８は、画像処理メモリ２９に一時記憶中の地図情報画像を読み出し、この地図情報画像を携帯電話機３でも表示可能なＧＩＦ又はＪＰＥＧ形式に変換し、この変換した地図情報画像をウェブサーバ処理部２５経由で携帯電話機３に提供するものである。尚、携帯電話機３のユーザは、携帯電話機３の表示画面上の地図情報画像３００Ｂで自分の現在位置を認識することができる。
【００５２】
さらに、携帯電話機３は、ＧＰＳ衛星２から自分の現在位置に対応するＧＰＳ位置情報を再度取得したか否かを判定する（ステップＳ２０）。
【００５３】
携帯電話機３は、ＧＰＳ位置情報を再度取得すると、このＧＰＳ位置情報をＩＰ−ＳＴＢ１３に再度伝送すべく、ステップＳ１２に移行する。
【００５４】
システム制御部３２は、ステップＳ１８にて地図情報画像提供操作を検出したのでなければ、携帯電話機３に地図情報画像を提供することなく、ステップＳ２０に移行する。
【００５５】
携帯電話機３は、ステップＳ２０にてＧＰＳ位置情報を再度取得したのでなければ、この処理動作を終了する。
【００５６】
図３に示すウェブ方式宅内地図情報提供処理によれば、携帯電話機３からＧＰＳ位置情報を付加したＵＲＬアクセスを検出すると、このＧＰＳ位置情報を抽出し、このＧＰＳ位置情報に対応した地図情報を地図ＤＶＤから検索し、この検索した地図情報に基づき地図情報画像を生成し、この地図情報画像１００Ａを宅内テレビ１２に表示するようにしたので、ＩＰ−ＳＴＢ１３のユーザは、図４に示すようにテレビ画面上の地図情報画像１００Ａで携帯電話機３のユーザの現在位置を認識することができる。
【００５７】
さらに、図３に示すウェブ方式宅内地図情報提供処理によれば、リモコン１５による地図情報画像提供操作を検出すると、同地図情報画像を携帯電話機３にウェブ上で提供するようにしたので、携帯電話機３のユーザは、図４に示すように携帯電話機３の表示画面上の地図情報画像３００Ｂで自分の位置を認識することができる。
【００５８】
尚、図３及び図４のウェブ方式宅内地図情報提供処理においては、携帯電話機３がウェブ機能を有し、インターネット５経由のＵＲＬアクセスで携帯電話機３のＧＰＳ位置情報をＩＰ−ＳＴＢ１３に通知するようにしたが、携帯電話機３にウェブ機能がない場合も考えられる。
【００５９】
そこで、電子メールの添付ファイル方式で携帯電話機３のＧＰＳ位置情報をＩＰ−ＳＴＢ１３に通知するようにしても良く、この場合の処理動作について説明する。図５はメール添付方式の宅内地図情報提供処理に関わるシステム１全体の処理動作を示すフロー図、図６は同メール添付方式の宅内地図情報提供処理の処理動作を端的に示す動作説明図である。
【００６０】
図５に示すメール添付方式宅内地図情報提供処理とは、携帯電話機３からＧＰＳ位置情報を添付した電子メールを受信すると、この電子メールに添付したＧＰＳ位置情報に対応する地図情報を検索し、この検索した地図情報に基づく地図情報画像を宅内テレビ１２に表示すると共に、所定のリモコン操作を検出すると、同地図情報画像を電子メールの添付方式で携帯電話機３に提供する処理である。
【００６１】
図５において携帯電話機３は、ＧＰＳ衛星２から現在位置に対応するＧＰＳ位置情報を取得する（ステップＳ３１）。携帯電話機３は、ＧＰＳ位置情報を取得すると、ＩＰ−ＳＴＢ１３への電子メールに添付ファイルでＧＰＳ位置情報を添付し、同電子メールをＩＰ−ＳＴＢ１３に送信する（ステップＳ３２）。
【００６２】
ＩＰ−ＳＴＢ１３の電子メール通信部２６は、携帯電話機３からの電子メールを受信すると、この電子メールの添付ファイルにあるＧＰＳ位置情報を抽出する（ステップＳ３３）。
【００６３】
システム制御部３２は、ＤＶＤ駆動部２３を通じて地図ＤＶＤからＧＰＳ位置情報に対応した地図情報を検索する（ステップＳ３４）。
【００６４】
画像処理部２８は、ＧＰＳ位置情報に対応した地図情報を検索すると、この検索した地図情報に基づき地図情報画像を生成し、この地図情報画像を画像処理メモリ２９のＧＰＳ位置情報領域２９Ａに一時記憶する（ステップＳ３５）。
【００６５】
システム制御部３２は、宅内テレビインタフェース２４を通じて、画像処理メモリ２９に一時記憶中の地図情報画像を宅内テレビ１２に表示する（ステップＳ３６）。この際、宅内テレビインタフェース２４は、画像処理メモリ２９に一時記憶中の地図情報画像をＮＴＳＣ信号又はＲＧＢ信号に変換し、この変換した地図情報画像を宅内テレビ１２に伝送するものである。尚、ＩＰ−ＳＴＢ１３のユーザは、図６に示すように、宅内テレビ１２に表示中の地図情報画像１１０Ａで携帯電話機３の現在位置を認識することができる。また、地図情報画像１１０Ａには、携帯電話機３に地図情報画像を提供するか否かを指定する指定画面１１０Ｂを有し、リモコン１５のリモコン操作で指定するものである。
【００６６】
システム制御部３２は、リモコン操作監視部３１を通じてリモコン１５の指定画面１１０Ｂによる地図情報画像提供操作を検出したか否かを判定する（ステップＳ３７）。システム制御部３２は、地図情報画像提供操作、すなわち指定画面１１０Ｂ上の“する”の選択操作を検出すると、メモリ制御部３０を通じて画像処理メモリ２９に一時記憶中の地図情報画像を読み出し、携帯電話機３からの受信メールを返信メールとし、電子メール通信部２６を通じて、地図情報画像を添付して同電子メールを返信する（ステップＳ３８）。この際、画像処理部２８は、画像処理メモリ２９に一時記憶中の地図情報画像を読み出し、この地図情報画像を携帯電話機３でも表示可能なＧＩＦ又はＪＰＥＧ形式に変換し、この変換した地図情報画像を電子メール通信部２６に伝送するものである。
【００６７】
尚、携帯電話機３のユーザは、電子メールの添付ファイルを開くことで、図６に示すように、携帯電話機３の表示画面上に地図情報画像３１０Ｂを表示し、自分の現在位置を認識することができる。
【００６８】
さらに、携帯電話機３は、ＧＰＳ衛星２から自分の現在位置に対応するＧＰＳ位置情報を再度取得したか否かを判定する（ステップＳ３９）。
【００６９】
携帯電話機３は、ＧＰＳ位置情報を再度取得すると、このＧＰＳ位置情報をＩＰ−ＳＴＢ１３に再度通知すべく、ステップＳ３２に移行する。
【００７０】
システム制御部３２は、ステップＳ３７にて地図情報画像提供操作を検出したのでなければ、携帯電話機３に地図情報画像を提供することなく、ステップＳ３９に移行する。
【００７１】
携帯電話機３は、ステップＳ３９にてＧＰＳ位置情報を再度取得したのでなければ、この処理動作を終了する。
【００７２】
図５に示すメール添付方式宅内地図情報提供処理によれば、携帯電話機３からＧＰＳ位置情報を添付した電子メールを検出すると、この電子メールの添付ファイルからＧＰＳ位置情報を抽出し、このＧＰＳ位置情報に対応した地図情報を検索し、この検索した地図情報に基づき地図情報画像を生成し、この地図情報画像を宅内テレビ１２に表示するようにしたので、ＩＰ−ＳＴＢ１３のユーザは、携帯電話機３がウェブ機能を備えていなくても、図６に示すようにテレビ画面上の地図情報画像１１０Ａで携帯電話機３のユーザの現在位置を認識することができる。
【００７３】
さらに、図５に示すメール添付方式宅内地図情報提供処理によれば、リモコン１５による地図情報画像提供操作を検出すると、同地図情報画像を電子メールに添付し、同電子メールを携帯電話機３に伝送するようにしたので、携帯電話機３のユーザは、電子メールに添付された地図情報画像を開くことで、携帯電話機３の表示画面上の地図情報画像３１０Ｂで自分の位置を認識することができる。
【００７４】
第１の実施の形態によれば、ＩＰ−ＳＴＢ１３に、携帯電話機３から現在位置に対応したＧＰＳ位置情報を取得すると、このＧＰＳ位置情報に対応する地図情報を地図ＤＶＤから検索し、この地図情報に基づいて地図情報画像を生成し、この地図情報画像を宅内テレビ１２に表示するようにしたので、家庭内のＩＰ−ＳＴＢ１３に携帯電話機３の現在位置に対応した地図情報画像を表示する機能を持たせることで、ＩＰ−ＳＴＢ１３のユーザは、サービスプロバイダを利用しなくても、宅内テレビ１２で携帯電話機３のユーザの現在位置に関わる地図情報画像を見ることができる。
【００７５】
第１の実施の形態によれば、携帯電話機３の現在位置に相当するＧＰＳ位置情報に対応した地図情報を検索し、この地図情報に関わる地図情報画像を宅内テレビ１２に表示出力するばかりでなく、携帯電話機３のユーザにも現在位置の地図情報を提供するようにした、すなわち、携帯電話機３の表示画面上に現在位置の地図情報画像を表示するようにしたので、サービスプロバイダを利用しなくても、携帯電話機３のユーザは、現在位置に関わる地図情報画像を見ることができる。
【００７６】
第１の実施の形態によれば、ＩＰ−ＳＴＢ１３では、携帯電話機３からのＧＰＳ位置情報をウェブ方式で取得するようにしたので、サービスプロバイダを利用しなくても、宅内テレビ１２に携帯電話機３のユーザの現在位置の地図情報画像を表示することができる。
【００７７】
第１の実施の形態によれば、ＩＰ−ＳＴＢ１３では携帯電話機３からのＧＰＳ位置情報をメール添付方式で取得するようにしたので、携帯電話機３にウェブ機能がなくても、メール送受信機能さえあれば、サービスプロバイダを利用することなく、宅内テレビ１２に携帯電話機３のユーザの現在位置の地図情報画像を表示することができる。
【００７８】
さらに、第１の実施の形態によれば、例えば携帯電話機３のユーザがＩＰ−ＳＴＢ１３を配置した家に訪問するような場合、すなわち、ＩＰ−ＳＴＢ１３を備えた訪問を待ち受ける家庭では、サービスプロバイダを利用しなくても、訪問者(携帯電話機３のユーザ)の現在位置を宅内テレビ１２で認識し、訪問到着時間を予測することも可能となり、しかも、訪問者(携帯電話機３のユーザ)は、自分の現在いる地点の地図情報の提供を受けることができる。
【００７９】
尚、上記実施の形態においては、ＧＰＳ位置情報を添付ファイルに添付した電子メールでＩＰ−ＳＴＢ１３に伝送するようにしたが、添付ファイルではなく、電子メール本文でＧＰＳ位置情報をＩＰ−ＳＴＢ１３に伝送するようにしても良く、この場合には、電子メール通信部２６で受信した電子メールからＧＰＳ位置情報のみを抽出できる構成にすれば良い。
【００８０】
尚、上記第１の実施の形態においては、ＩＰ−ＳＴＢ１３に携帯機器端末として携帯電話機３のＧＰＳ位置情報に対応した地図情報を検索し、この検索した地図情報に基づく地図情報画像を宅内テレビ１２に表示するようにしたが、携帯機器端末としての携帯電話機３のＧＰＳ位置情報、ＩＰ−ＳＴＢ１３によるＧＰＳ位置情報に対応した地図情報検索及び地図情報画像のテレビ表示という点に着目し、携帯機器端末としてデジタルカメラやカメラ付携帯電話機等が普及している今日、デジタルカメラで撮影した被写体の撮影データ及び撮影時のＧＰＳ位置情報を利用して、撮影画像の他に撮影時の周辺地図を示す地図情報画像を宅内テレビ１３上で画像表示するような使用方法も考えられる。
【００８１】
（実施の形態２）
そこで、このような第２の実施の形態を示す宅内地図情報表示システムについて説明する。図７は第２の実施の形態を示す宅内地図情報表示システムの要部であるＩＰ−ＳＴＢ内部の概略構成を示すブロック図である。尚、図２に示すＩＰ−ＳＴＢ１３と同一の構成については、同一符号を付すことで、その重複する構成及び動作の説明について省略する。
【００８２】
図７に示すＩＰ−ＳＴＢ１３Ａは、ケーブルテレビ局通信インタフェース２１、インターネット通信インタフェース２２、ＤＶＤ駆動部２３、宅内テレビインタフェース２４、電子メール通信部２６、ウェブサーバ処理部２５、ＤＶＤ制御部２７、画像処理部２８、画像処理メモリ２９、メモリ制御部３０、リモコン操作監視部３１、システム制御部３２、制御バス３３の他に、カメラ付携帯電話機３Ａやデジタルカメラ３Ｂに着脱可能に装着したＳＤカード４０をＩＰ−ＳＴＢ１３Ａ内にスロットインすることで同ＳＤカード４０から撮影管理データを読み出すメモリスロット制御部４１と、このメモリスロット制御部４１にて読み出した撮影管理データに様々な処理を施す撮影管理データ処理部４２とを有している。
【００８３】
カメラ付携帯電話機３Ａは、被写体を撮影するカメラ機能と、ＧＰＳ衛星２からの現在位置に対応するＧＰＳ位置情報を取得するＧＰＳ位置情報取得機能と、カメラ機能にて撮影した被写体の撮影データと同撮影場所を示すＧＰＳ位置情報とを対応付けて撮影管理データを生成する機能と、この撮影管理データをＳＤカード４０に記憶する機能とを有し、同カメラ付携帯電話機３Ａに対してＳＤカード４０は着脱可能である。
【００８４】
デジタルカメラ３Ｂも同様に、カメラ機能と、ＧＰＳ位置情報取得機能と、撮影管理データを生成する機能と、この撮影管理データをＳＤカード４０に記憶する機能とを有し、このデジタルカメラ３Ｂに対してＳＤカード４０は着脱可能である。
【００８５】
撮影管理データ処理部４２は、スロットインされたＳＤカード４０から読み出された撮影管理データにＥｘｉｆフォーマット解析処理を施すことで、撮影管理データから撮影データとＧＰＳ位置情報とに分離抽出するものである。
【００８６】
図８はＳＤカード４０に記憶する撮影管理データのデータ構造を示す説明図である。尚、撮影管理データは、デジタルカメラのメーカで標準化を進めているＥｘｉｆ(Exchangeable image file format) で構成するものである。
【００８７】
このＥｘｉｆは、ＴＩＦＦ(Tagged Image File Format)ヘッダと、ＩＦＤ（Image File Directory）のＧＰＳ・ＩＦＤタグ情報フォーマットとを有し、ＧＰＳ・ＩＦＤタグ情報ファーマット内に撮影データとＧＰＳ位置情報とを対応付けて構成している。尚、撮影管理データ処理部４２では、ＧＰＳ位置情報はGPS IFD Pointerで指定されたGPS IFD(GPS Info Tag)からＧＰＳバージョンを含むＧＰＳ位置情報を分離抽出すると共に、1stIFD for Thumbnail DataからImage Width、Strip Offsets、Thumbnail Dataを経て撮影データを分離抽出するものである。
【００８８】
尚、請求項記載の撮像手段はカメラ付携帯電話機３Ａのカメラ機能やデジタルカメラ３Ｂのカメラ機能、データ記憶手段はＳＤカード４０、データ分離手段は撮影管理データ処理部４２、データ抽出手段はメモリスロット制御部４１に相当するものである。
【００８９】
次に第２の実施の形態を示す宅内地図情報表示システムの動作について説明する。図９は撮影画像・地図情報画像提供処理に関わるＩＰ−ＳＴＢ１３Ａの処理動作を端的に示すフロー図である。
【００９０】
図９に示す撮影画像・地図情報画像提供処理とは、例えばデジタルカメラ３Ｂやカメラ付携帯電話機３Ａの撮影データ等を記憶したＳＤカード４０をＩＰ−ＳＴＢ１３Ａにスロットインすると、このＳＤカード４０内に記憶した撮影データに基づく撮影画像と同撮影時の地図情報画像とを宅内テレビ１２に分割表示する処理である。
【００９１】
図９においてＩＰ−ＳＴＢ１３Ａのメモリスロット制御部４１は、ＩＰ−ＳＴＢ１３Ａ内にＳＤカード４０がスロットインされると、同ＳＤカード４０から撮影管理データを抽出する（ステップＳ５１）。
【００９２】
撮影管理データ処理部４２は、ＳＤカード４０から抽出した撮影管理データにＥｘｉｆフォーマット解析を施すことで、撮影データとＧＰＳ位置情報とに分離抽出する（ステップＳ５２）。
【００９３】
画像処理部２８は、撮影管理データ処理部４２を通じて、分離抽出した撮影データに撮影データ再生処理を施すことで、例えばＪＰＥＧ形式又はＧＩＦ形式の撮影画像を生成し、この撮影画像を画像処理メモリ２９の撮影画像領域２９Ｂに一時記憶する（ステップＳ５３）。
【００９４】
システム制御部３２は、宅内テレビインタフェース２４を通じて、この画像処理メモリ２９の撮影画像領域２９Ｂに一時記憶中の撮影画像を宅内テレビ１２の一方の分割画面、例えば左側分割画面１２０Ａに表示する（ステップＳ５４）。この際、宅内テレビインタフェース２４は、画像処理メモリ２９に一時記憶中の撮像画像をＮＴＳＣ信号又はＲＧＢ信号に変換し、この変換した撮像画像を宅内テレビ１２に伝送するものである。尚、宅内テレビ１２の表示画面は、図７に示すように右側分割画像１２０Ｂと左側分割画像１２０Ｂとの２分割表示となる。
【００９５】
さらに、システム制御部３２は、撮影管理データ処理部４２を通じて、ステップＳ５２にて分離抽出したＧＰＳ位置情報に対応する地図情報を地図ＤＶＤから検索する（ステップＳ５５）。
【００９６】
画像処理部２８は、ＧＰＳ位置情報に対応した地図情報を検索すると、この検索した地図情報に地図情報画像を生成し、この地図情報画像を画像処理メモリ２９のＧＰＳ位置情報領域２９Ｂに一時記憶する（ステップＳ５６）。
【００９７】
システム制御部３２は、宅内テレビインタフェース２４を通じて、この画像処理メモリ２９のＧＰＳ位置情報領域２９Ａに一時記憶中の地図情報画像を宅内テレビ１２の他方の分割画面、例えば右側分割画面１２０Ｂに表示する（ステップＳ５７）。この際、宅内テレビインタフェース２４は、画像処理メモリ２９に一時記憶中の地図情報画像をＮＴＳＣ信号又はＲＧＢ信号に変換し、この変換した地図情報画像を宅内テレビ１２に伝送するものである。尚、宅内テレビ１２では、左側分割画面１２０Ａに撮影画像、右分割画面１２０Ｂに撮影箇所の地図情報画像が同時に表示されることになる。
【００９８】
システム制御部３２は、リモコン操作監視部３１を通じて次の撮影画像を選択するリモコン操作を検出したか否かを判定する（ステップＳ５８）。
【００９９】
システム制御部３２は、次の撮影画像を選択するためのリモコン操作を検出すると、次の撮影画像に関わる撮影管理データを抽出すべく、ステップＳ５１に移行する。
【０１００】
システム制御部３２は、ステップＳ５８にて次の撮影画像を選択するためのリモコン操作を検出したのでなければ、撮影画像表示終了のリモコン操作を検出したか否かを判定する（ステップＳ５９）。
【０１０１】
システム制御部３２は、撮影画像表示終了のリモコン操作を検出したのであれば、この処理動作を終了する。
【０１０２】
また、システム制御部３２は、ステップＳ５９にて撮影画像表示終了のリモコン操作を検出したのでなければ、次の撮影画像を選択するリモコン操作を検出したか否かを判定すべく、ステップＳ５８に移行する。
【０１０３】
図９に示す撮影画像・地図情報画像提供処理によれば、例えばカメラ付携帯電話機３Ａにて被写体を撮影すると、この撮影データの他に、この撮影時の現在位置に対応するＧＰＳ位置情報で撮影管理データを生成し、この撮影管理データをＳＤカード４０に記憶すると共に、同ＳＤカード４０をＩＰ−ＳＴＢ１３Ａにスロットインすると、同ＳＤカード４０から撮影管理データを抽出し、この撮影管理データから撮影データ及びＧＰＳ位置情報を分離抽出し、ＧＰＳ位置情報に対応した地図情報を地図ＤＶＤから検索し、この地図情報に基づく地図情報画像及び撮影データに基づく撮影画像を宅内テレビ１２に表示するようにしたので、撮影画像だけでなく、撮影場所の地図情報画像も宅内テレビ１２の表示画面上に同時に表示されるため、撮影場所の特定が容易で、撮像画像のアルバム整理と同時に撮影場所の思い出が浮かび楽しくなる。
【０１０４】
第２の実施の形態によれば、デジタルカメラ３Ｂやカメラ付携帯電話機３Ａにて撮影データ及びＧＰＳ位置情報を対応付けた撮影管理データをＳＤカード４０に記憶しておき、ＩＰ−ＳＴＢ１３ＡへのＳＤカード４０のスロットインを検出すると、同ＳＤカード４０から撮影管理データを抽出し、撮影管理データから撮影データ及びＧＰＳ位置情報を分離し、ＧＰＳ位置情報に対応した地図情報を地図ＤＶＤから検索し、この地図情報に基づく地図情報画像及び撮影データに基づく撮影画像を併せて宅内テレビ１２に表示するようにしたので、ユーザは、撮影画像ばかりでなく、撮影場所も宅内テレビ１２の画像上で認識することができる。
【０１０５】
尚、上記第２の実施の形態においては、デジタルカメラ３Ｂやカメラ付携帯電話機３Ａに着脱可能なＳＤカード４０に撮影管理データを記憶するようにしたが、例えばメモリスティックやスマートメディア等の記憶媒体であっても良いことは言うまでもない。
【０１０６】
また、上記第２の実施の形態によれば、ＩＰ−ＳＴＢ１３ＡにてＳＤカード４０から撮影管理データを取得するようにしたが、第１の実施の形態のようにＩＰ−ＳＴＢ１３ＡのＵＲＬに撮影管理データを付加して、ウェブ方式でカメラ付携帯電話機３Ａからの撮影管理データを取得したり、添付ファイル形式の電子メールでカメラ付携帯電話機３Ａからの撮影管理データを取得するようにしても同様の効果が得られることは言うまでもない。
【０１０７】
また、上記第１及び第２の実施の形態においては、接続装置としてＩＰ−ＳＴＢ１３を例に挙げて説明したが、一般的にテレビに接続可能なビデオ再生装置、ＤＶＤ再生装置等の記録媒体再生装置であっても、同機能を内蔵することで、同様の効果が得られることは言うまでもない。
【産業上の利用可能性】
【０１０８】
本発明の地図情報表示システムによれば、テレビ等の映像表示装置に映像情報を提供する接続装置が、携帯端末機器から現在位置に対応したＧＰＳ位置情報を取得すると、このＧＰＳ位置情報に対応する地図情報を検索し、この地図情報を映像表示装置に表示出力させるようにしたので、例えば家庭内にある接続装置に地図情報を提供する機能を持たせることで、接続装置のユーザは、サービスプロバイダを利用しなくても、家庭内のテレビ等の映像表示装置で携帯端末機器ユーザの現在位置に関わる地図情報画像を見ることができ、接続装置ユーザが地図情報画像を見ながら、携帯端末機器のユーザに経路を案内するような経路案内システム等にも有用である。
【０１０９】
本発明の地図情報表示システムによれば、携帯端末機器にて撮影データ及びＧＰＳ位置情報を対応付けて構成した撮影管理データを記憶しておき、接続装置にて携帯端末機器からの撮影管理データを抽出すると、この撮影管理データから撮影データ及びＧＰＳ位置情報を分離抽出し、ＧＰＳ位置情報に対応した地図情報を検索し、この地図情報に基づく地図情報画像及び撮影データに基づく撮影画像を併せて、例えばテレビ等の映像表示装置に表示するようにしたので、接続装置のユーザは、撮影画像だけでなく、撮影場所の地図情報画像も映像表示装置の表示画面上に同時に表示されるため、撮像画面のアルバム管理システム等に有用である。
【図面の簡単な説明】
【０１１０】
【図１】本発明の地図情報表示システムに関わる第１の実施の形態を示す宅内地図情報表示システム内部の概略構成を示すブロック図
【図２】第１の実施の形態を示す宅内地図情報表示システム内部の要部であるＩＰ−ＳＴＢ内部の概略構成を示すブロック図
【図３】第１の実施の形態に関わるウェブ方式宅内地図情報提供処理に関わるシステム全体の処理動作を端的に示すフロー図
【図４】第１の実施の形態に関わるウェブ方式宅内地図情報提供処理に関わる携帯電話機及びＩＰ−ＳＴＢ間の動作を端的に示す説明図
【図５】第１の実施の形態に関わるメール添付方式宅内地図情報提供処理に関わるシステム全体の処理動作を端的に示すフロー図
【図６】第１の実施の形態に関わるメール添付方式宅内地図情報提供処理に関わる携帯電話機及びＩＰ−ＳＴＢ間の動作を端的に示す説明図
【図７】第２の実施の形態を示す宅内地図情報表示システムの要部であるＩＰ−ＳＴＢ内部の概略構成を示すブロック図
【図８】第２の実施の形態に関わる撮影管理データのデータ構造を端的に示す説明図
【図９】第２の実施の形態に関わる撮影画像・地図情報画像提供処理に関わるＩＰ−ＳＴＢの処理動作を端的に示すフロー図
【符号の説明】
【０１１１】
１  宅内地図情報表示システム(地図情報表示システム)
３  携帯電話機(携帯端末機器、ＧＰＳ位置情報取得手段)
３Ａ  カメラ付携帯電話機(携帯端末機器、撮像手段、ＧＰＳ位置情報取得手段)
３Ｂ  デジタルカメラ(携帯端末機器、撮像手段、ＧＰＳ位置情報取得手段)
１２  宅内テレビ(映像表示装置)
１３  ＩＰ−ＳＴＢ（接続装置）
１３Ａ  ＩＰ−ＳＴＢ(接続装置)
２３  ＤＶＤ駆動部（地図検索手段）
２５  ウェブサーバ処理部（現在位置情報取得手段）
３２  システム制御部（地図検索手段、制御手段）
４０  ＳＤカード(データ記憶手段、記憶媒体)
４１  メモリスロット制御部(データ抽出手段)
４２  撮影管理データ処理部（データ分離手段）
【図１】
2005295030.tif 000003
【図２】
2005295030.tif 000004
【図３】
2005295030.tif 000005
【図４】
2005295030.tif 000006
【図５】
2005295030.tif 000007
【図６】
2005295030.tif 000008
【図７】
2005295030.tif 000009
【図８】
2005295030.tif 000010
【図９】
2005295030.tif 000011